(57)【特許請求の範囲】
【請求項１】
冷却媒体を循環させるための循環路を備えた胴着における前記循環路の配置構造であって、
重ねて周囲を縫製した２枚のメッシュ素材の間に前記循環路を配置し、
当該２枚のメッシュ素材のうち、内側のメッシュ素材で前記循環路を取り囲むようにして且つ当該内側のメッシュ素材同士を糸で固定することによって、前記循環路が前記内側のメッシュ素材と共に内側に向かって盛り上がるように構成すると共に、
前記２枚のメッシュ素材のうち、外側のメッシュ素材と前記循環路は固定しない
ことを特徴とする液体循環式冷却胴着における循環路配置構造。
【発明の詳細な説明】
【技術分野】
【０００１】
本発明は、人体にとって高温となる環境下において使用する冷却衣服であって、特に詳しくは、液体循環式の冷却胴着に関する。
【背景技術】
【０００２】
従来から、液体を循環させる循環路を配置して、身体を温めたり冷やしたりすることができる衣服は公知である（特許文献１を参照）。
【先行技術文献】
【特許文献】
【０００３】
【特許文献１】特開２００２−５８６９４号公報
【発明の概要】
【発明が解決しようとする課題】
【０００４】
特許文献１に記載の発明は、循環路が内側に剥き出しとなっており、使用する際に引っかかる等の難点がある。一方で、それを防止するために単純に循環路を覆うのみでは、冷却効率が阻害されてしまう。
【０００５】
そこで本発明は、こういった問題点を解決するべくなされたものであって、循環路を保護しつつも冷却効率を低下させずに、更に、作業着の中に着用しても快適な液体循環式冷却胴着における循環路配置構造を提供する事をその課題としている。
【課題を解決するための手段】
【０００６】
上記課題を解決するべく、本願発明は、冷却媒体を循環させるための循環路を備えた胴着における前記循環路の配置構造であって、２枚のメッシュ素材の間に前記循環路を配置した、ことを特徴とする液体循環式冷却胴着における循環路配置構造。
【０００７】
このような構成を採用したことによって、使用時に循環路を引っ掛けてしまうこともないし、穴の開いたメッシュ素材を使用しているため通気性も良く汗のべたつきによる不快感も低減することができる。更に、循環路の外側も敢えてメッシュ素材で構成することによって、液体循環式冷却胴着を作業着等の中（より具体的には、下着と作業着等の間）で使用した際の汗の蒸発を妨げないため、長時間の利用でも快適性が損なわれにくい。通常、循環路の外側は、断熱を優先するためにメッシュ素材は用いないが、逆転の発想により敢えて外側もメッシュ素材とすることによって、作業着等の下に装着した際の性能を向上させている。
【０００８】
また、前記２枚のメッシュ素材のうち、内側のメッシュ素材に前記循環路の略全体を埋め込むように配置することを特徴とする。
【０００９】
即ち、内側から見ると、循環路１０８の部分だけが内側のメッシュ素材１３１と一緒に内側に向かって盛り上がるような構成となる。この盛り上がりによって、循環路１０８の部分は身体に密着して体温を効率的に奪えると共に、それ以外の部分は身体との間に隙間が形成されるため、空気が循環し易くることから、冷気の循環を妨げず且つ汗の蒸発も促すことができる。
【００１０】
また、循環路１０８の埋め込みは、断面視すると、循環路１０８を内側のメッシュ素材１３１で略「Ω」状に覆った上で、糸１２１により循環路１０８の左右を縫製して行っていた（図８参照）。
【００１１】
即ち、メッシュ素材１３１への循環路１０８の固定を「糸１２１」だけで実現しており、メッシュ素材１３１の柔軟性を阻害するような別の取付部材を使用していないので、装着時の快適性が高く、身体への追従性にも優れている。
【発明の効果】
【００１２】
本発明を適用することで、循環路を保護しつつも冷却効率を低下させずに、更に、作業着の中に着用しても快適な液体循環式冷却胴着における循環路配置構造を提供することができる。
【図面の簡単な説明】
【００１３】
【図１】本発明の実施形態の一例である液体循環式冷却胴着を利用した冷却システムの概略全体構成図である。
【図２】本発明の実施形態の一例である液体循環式冷却胴着の正面図である。
【図３】同正面側のファスナを外して前身頃を左右に分離した状態を示した状態の正面図である。
【図４】サイドの面ファスナ（連結部材）を外して、前身頃と後身頃を展開した状態の内側面（身体側）を示した図である。
【図５】サイドの面ファスナ（連結部材）を外して、前身頃と後身頃を展開した状態の外側面を示した図である。
【図６】図２の状態における循環路の経路を概略的に示した図である。
【図７】循環路の配置構造を示した図であって、図４におけるＡ−Ａ線に沿った断面のうち一の循環路のみを示した図である。
【図８】図７における矢視α方向から見た循環路とメッシュ素材の位置関係を示した図である。
【発明を実施するための形態】
【００１４】
以下、添付図面を参照しつつ、本発明の実施形態の一例である液体循環式冷却胴着１００及びその構造について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈液体循環式冷却胴着の構成〉
液体循環式冷却胴着１００は、図１に示している通り、冷却システム１０の一部として機能する。冷却システム１０は、液体循環式冷却胴着１００と、循環ポンプ２００及び冷却源３００により構成される。冷却源３００は様々な種類及び形態のものを利用することが可能であり、用途に応じて付け替えて利用することが可能である。例えば、クーラーボックスの中に氷を入れたもの、それをリュック型やバッグ型に構成したものやボトル型に構成したもの、更には、ラジエターとファンを内蔵した熱交換装置（チラー）等が利用でき、自由に付け替えて利用できる。
【００１６】
なお、循環ポンプ２００は必ずしも独立して構成されている必要はなく、冷却源３００と一体化されていてもよい。
【００１７】
図２〜図３に示している通り、液体循環式冷却胴着１００は、所謂「ベスト型」に構成されている。前身頃１０２と後身頃１０４の両方に冷却媒体を循環させるための循環路１０８が配置されており、前身頃１０２はファスナ１１０により左右に分離可能となっている。
【００１８】
また、両脇下にはそれぞれ面ファスナを利用した連結部材１０６が備わっており、前身頃１０２と後身頃１０４の間隔を調整し、当該胴着１００を装着者の体にフィットさせることが可能となっている。
【００１９】
なお、符号１１４は、循環路１０８の出入り口であり、先端に備わるコネクタによって、循環ポンプ２００や冷却源３００に繋がる管路（図示していない）に接続可能となっている。
【００２０】
図４〜図５に示している通り、両脇下の連結部材１０６の連結を解けば、前身頃１０２と後身頃１０４は１枚の矩形シート状に展開可能である。略中心に頭部穴１１６が存在し、その頭部穴１１６の左右にも循環路１０８が配置されている。
【００２１】
また、連結部材１０６は、後身頃１０４側に取り付けられた面ファスナ雄（第１の連結部材）１０７と、前身頃１０２の表面に取り付けられた面ファスナ雌（第２の連結部材）１０５との着脱によって連結及び調整が実現される。
【００２２】
図６に示しているように、本発明の実施形態の一例として示した液体循環式冷却胴着１００においては、循環路１０８は４つ独立したものが並列配置されている。左前身頃１０２から入った４つの循環路は、そのうち２つ（経路１、経路２）が首裏を介して右側の前身頃を循環している。残りの２つの循環路（経路３、経路４）は、後身頃１０４側を循環している。
【００２３】
また、前身頃１０２及び後身頃１０４を含む液体循環式冷却胴着１００全体は、２枚のメッシュ素材１３０、１３１を重ねてその周囲を縫製し、その間に循環路１０８を配置構成している。
【００２４】
図７に示しているように、循環路１０８は、２枚のメッシュ素材１３０、１３１のうち、内側（人体側）のメッシュ素材１３１に固定される。更に、循環路１０８のほぼ全体がメッシュ素材１３１に取り囲まれるように（埋め込まれるように）配置され、左右を繋ぐ糸１２１によって固定されている。
【００２５】
〈液体循環式冷却胴着における循環路配置構造の作用・機能〉
上記説明した通り、２枚のメッシュ素材１３０、１３２の間に１０８循環路を配置したことによって、使用時に循環路１０８を引っ掛けてしまうこともないし、穴の開いたメッシュ素材を使用しているため通気性も良く汗のべたつきによる不快感も低減することができる。更に、循環路１０８の外側も敢えてメッシュ素材で構成することによって、液体循環式冷却胴着１００を作業着等の中（より具体的には、下着と作業着等の間）で使用した際の汗の蒸発を妨げないため、長時間の利用でも快適性が損なわれにくい。通常、循環路１０８の外側は、断熱を優先するためにメッシュ素材は用いないが、逆転の発想により敢えて外側もメッシュ素材とすることによって、作業着等の下に装着した際の性能を向上させている。
【００２６】
また、２枚のメッシュ素材１３０、１３１のうち、内側のメッシュ素材１３１に１０８循環路の略全体を埋め込むように配置していた。
【００２７】
即ち、内側から見ると、循環路の部分だけがメッシュ素材と一緒に盛り上がるような構成となる。この盛り上がりによって、循環路の部分は身体に密着して体温を効率的に奪えると共に、それ以外の部分は身体との間に隙間が形成されるため、空気が循環し易くることから、冷気の循環を妨げず且つ汗の蒸発も促すことができる。
【００２８】
また、前記循環路の埋め込みは、断面視すると、当該循環路を前記内側のメッシュ素材で略「Ω」状に覆った上で、糸により前記循環路の左右を縫製して行うことを特徴とする。
【００２９】
即ち、メッシュ素材への循環路の固定を「糸」だけで実現しており、素材の柔軟性を阻害するような取付部材を使用していないので、装着時の快適性が高く、身体への追従性にも優れている。
【符号の説明】
【００３０】
１０・・・冷却システム
１００・・・液体循環式冷却胴着
１０２・・・前身頃
１０４・・・後身頃
１０８・・・循環路
１０５・・・面ファスナ（雌）
１０６・・・連結部材
１０７・・・面ファスナ雄
１１０・・・ファスナ
１１４・・・（循環路の）出入り口
１１６・・・頭部穴
１２１・・・糸
１３１・・・メッシュ素材
２００・・・循環ポンプ
３００・・・冷却源
【要約】
【課題】
循環路を保護しつつも冷却効率を低下させずに、更に、作業着の中に着用しても快適な液体循環式冷却胴着における循環路配置構造を提供する。
【解決手段】
２枚のメッシュ素材１３０、１３１の間に循環路１０８を配置し、この２枚のメッシュ素材のうち、内側のメッシュ素材１３１に循環路の略全体を埋め込むように配置する。この循環路１０８の埋め込みは、断面視すると、循環路１０８を内側のメッシュ素材１３１で略「Ω」状に覆った上で、糸１２１により循環路１０８の左右を縫製して行う。
【選択図】図７【図１】
0006656632.tif 000002
【図２】
0006656632.tif 000003
【図３】
0006656632.tif 000004
【図４】
0006656632.tif 000005
【図５】
0006656632.tif 000006
【図６】
0006656632.tif 000007
【図７】
0006656632.tif 000008
【図８】
0006656632.tif 000009